(57)【要約】【課題】収納本数を多くし、置き忘れられた傘を容易に整理することができ、傘の抜き取りを防止するようにした傘用保管装置を提供する。【解決手段】傘用保管装置１０は、スタンド１１とホルダ１２とからなる。スタンドは基台１３に支柱１４が立設されている。支柱を軸として回動自在にアーム１５が軸支されている。アームはブラケット１６を支持し、ブラケット１６には、傘を掴持するクリップ２０が取り付けられている。クリップ２０は回動可能に軸で連結した左右クリップ片からなり、該左右クリップ片の一端には貫通孔がそれぞれ連接形成されている。クリップはホルダに吊紐３０を介して吊着されている。吊紐は先端に小ループ３１が形成されている。吊紐の末端を左右クリップ片の両貫通孔に挿通し、さらに小ループへ挿通することによって吊紐の先端には閉ループ３２が形成される。そして、閉ループで閉ざされたクリップが傘の握柄を掴持する。【選択図】図１
2013031647.tif 000002
【特許請求の範囲】
【請求項１】
傘を個別に保持する保持手段を有するホルダと
該ホルダを支持する支柱を有するスタンドとからなる傘用保管装置であって、
前記保持手段は、傘を掴持する複数個のクリップと、前記ホルダに取り付けるためのリングと、前記クリップと前記リングを繋ぐ吊紐とを有し、
前記クリップは、左右一対のクリップ片を回動自在に軸で連結して形成し、
各クリップ片の一端にそれぞれ貫通孔を形成し、
前記吊紐の先端に小ループを設け、
前記貫通孔へ挿通した前記吊紐の末端を、前記小ループに挿通して閉ループを形成し、
前記左右クリップ片で前記傘の傘軸又は握柄を挟んで、前記ホルダに前記リングを介して吊着された前記吊紐が前記傘の自重で下方に向かって引っ張られたとき、
前記閉ループが前記左右クリップ片の一端を互いに近接させて、前記傘の傘軸又は握柄を前記左右クリップ片が掴持するようにしたことを特徴とする傘用保管装置。
【請求項２】
一本の支柱からなる前記スタンドと、
該支柱を囲む環状又は多角形状のブラケットからなる前記ホルダとを、
少なくとも一本のアームで支持するようにしたことを特徴とする請求項１に記載の傘用保管装置。
【請求項３】
少なくとも二本の支柱からなる前記スタンドと、
長さが調節可能なロッド又はワイヤー類からなる前記ホルダとからなり、
該ホルダを前記支柱間に架設するようにしたことを特徴とする請求項１に記載の傘用保管装置。
【請求項４】
前記左右クリップ片の前記貫通孔に挿通可能な直径の棒体で形成された掛け金部と、鍵又は暗証番号その他これ等に類する識別手段を備えた錠前部とからなる鍵を設け、
該鍵の前記掛け金部を前記左右クリップ片の前記貫通孔へ挿通して、前記クリップを施錠するようにしたことを特徴とする請求項１に記載の傘用保管装置。
【請求項５】
前記保持手段に、前記クリップが使用されているか否かを報知する報知手段を設けたことを特徴とする請求項１乃至請求項４のいずれかに記載の傘用保管装置。
【請求項６】
前記報知手段は、所定の音声又は所定のフレーズを再生する電子ブザーを有し、
当該電子ブザーは、前記クリップが前記傘を掴持しているとき、又は前記傘を掴持していない空クリップであるとき、前記吊紐にかかる負荷の大きさにしたがって、前記クリップが使用されているか否かを前記音声又は前記フレーズによって報知するようにしたことを特徴とする請求項５に記載の傘用保管装置。
【請求項７】
前記報知手段は、所定の点滅パターン又は所定の発光色で発光するランプを有し、
当該ランプは、前記クリップが前記傘を掴持しているとき、又は前記傘を掴持していない空クリップであるとき、前記吊紐にかかる負荷の大きさにしたがって、前記クリップが使用されているか否かを前記点滅パターン又は前記発光色によって報知するようにしたことを特徴とする請求項５に記載の傘用保管装置。
【請求項８】
前記報知手段は、所定の振動パターンで前記クリップ及び／又は前記リングを振動させるバイブレータ機能を有し、
前記クリップが前記傘を掴持しているとき、又は前記傘を掴持していない空クリップであるとき、
当該クリップの使用状況を前記振動パターンによって報知するようにしたことを特徴とする請求項５に記載の傘用保管装置。
【発明の詳細な説明】
【技術分野】
【０００１】
本発明は、傘用保管装置に関する。
【背景技術】
【０００２】
従来、数十本の傘を保持可能な大型の傘立てがある。当該傘立ては、傘を個別に保持し、鍵を備えたホルダと、該ホルダを縦横に複数個並べて形成したラックと、該ラックを支持するスタンドとからなり、スーパーマーケット等の店舗、又は学校或いは公民館等の公共施設に設置されている。それらの施設への来訪者は、当該傘用保管装置のホルダへそれぞれ傘を把持させたうえで、該ホルダを施錠することにより、傘を盗難から防ぐことができる。
【先行技術文献】
【特許文献】
【０００３】
【特許文献１】引用なし
【発明の概要】
【発明が解決しようとする課題】
【０００４】
しかしながら、従来の傘立ては、ラックに固定されているホルダの数が限られているため、置き忘れられた傘、又はにわか雨等に備えた長期間に亘る置き傘でホルダが使用されている場合、いざ雨が降った時に傘を収納できる空ホルダが無いというおそれがある。
また、一般的なホルダは、傘の傘軸に巻回した傘布ごと保持するように形成されている。そのため、傘骨を撓ませたり、傘布を絞り上げたりすることによって傘とホルダとの間に隙間が形成され、傘をホルダから容易に引き抜くことができ、傘が簡単に盗まれてしまうおそれがある。そして、傘をホルダから容易に引き抜くことができるということは、言い換えれば、ホルダを施錠する鍵を紛失した場合であっても、傘を取り出すことができる。そのため、鍵が使えない空ホルダが増えるおそれがある。
したがって、本発明が解決しようとする課題は、傘の収納本数を多くすることができ、置き忘れられた傘を容易に整理することができ、さらに傘の盗難を防止できる傘用保管装置を提供することを目的とする。
【課題を解決するための手段】
【０００５】
請求項１に記載の傘用保管装置は、傘を個別に保持する保持手段を有するホルダと
該ホルダを支持する支柱を有するスタンドとからなる傘用保管装置であって、
前記保持手段は、傘を掴持する複数個のクリップと、前記ホルダに取り付けるためのリングと、前記クリップと前記リングを繋ぐ吊紐とを有し、
前記クリップは、左右一対のクリップ片を回動自在に軸で連結して形成し、
各クリップ片の一端にそれぞれ貫通孔を形成し、
前記吊紐の先端に小ループを設け、
前記貫通孔へ挿通した前記吊紐の末端を、前記小ループに挿通して閉ループを形成し、
前記左右クリップ片で前記傘の傘軸又は握柄を挟んで、前記ホルダに前記リングを介して吊着された前記吊紐が前記傘の自重で下方に向かって引っ張られたとき、
前記閉ループが前記左右クリップ片の一端を互いに近接させて、前記傘の傘軸又は握柄を前記左右クリップ片が掴持するようにしたことを特徴とする。
【０００６】
請求項２に記載の傘用保管装置は、請求項１に記載の発明において、一本の支柱からなる前記スタンドと、
該支柱を囲む環状又は多角形状のブラケットからなる前記ホルダとを、
少なくとも一本のアームで支持するようにしたことを特徴とする。
【０００７】
請求項３に記載の傘用保管装置は、請求項１に記載の発明において、少なくとも二本の支柱からなる前記スタンドと、
長さが調節可能なロッド又はワイヤー類からなる前記ホルダとからなり、
該ホルダを前記支柱間に架設するようにしたことを特徴とする。
【０００８】
請求項４に記載の傘用保管装置は、請求項１に記載の発明において、前記左右クリップ片の前記貫通孔に挿通可能な直径の棒体で形成された掛け金部と、鍵又は暗証番号その他これ等に類する識別手段を備えた錠前部とからなる鍵を設け、
該鍵の前記掛け金部を前記左右クリップ片の前記貫通孔へ挿通して、前記クリップを施錠するようにしたことを特徴とする。
【０００９】
請求項５に記載の傘用保管装置は、請求項１乃至請求項４のいずれかに記載の発明において、前記保持手段に、前記クリップが使用されているか否かを報知する報知手段を設けたことを特徴とする。
【００１０】
請求項６に記載の傘用保管装置は、請求項５に記載の発明において、前記報知手段は、所定の音声又は所定のフレーズを再生する電子ブザーを有し、
当該電子ブザーは、前記クリップが前記傘を掴持しているとき、又は前記傘を掴持していない空クリップであるとき、前記吊紐にかかる負荷の大きさにしたがって、前記クリップが使用されているか否かを前記音声又は前記フレーズによって報知するようにしたことを特徴とする。
【００１１】
請求項７に記載の傘用保管装置は、請求項５に記載の発明において、前記報知手段は、所定の点滅パターン又は所定の発光色で発光するランプを有し、
当該ランプは、前記クリップが前記傘を掴持しているとき、又は前記傘を掴持していない空クリップであるとき、前記吊紐にかかる負荷の大きさにしたがって、前記クリップが使用されているか否かを前記点滅パターン又は前記発光色によって報知するようにしたことを特徴とする。
【００１２】
請求項８に記載の傘用保管装置は、請求項５に記載の発明において、前記報知手段は、所定の振動パターンで前記クリップ及び／又は前記リングを振動させるバイブレータ機能を有し、
前記クリップが前記傘を掴持しているとき、又は前記傘を掴持していない空クリップであるとき、
当該クリップの使用状況を前記振動パターンによって報知するようにしたことを特徴とする。
【発明の効果】
【００１３】
請求項１に記載の傘用保管装置によれば、傘を掴持する複数個のクリップによって、傘を個別に掴持するようにした。そのため、クリップ間の隙間を容易に詰めることができ、傘の収納本数を増やすことができる。
また、左右クリップ片の一端へそれぞれ設けた貫通孔に吊紐の末端を挿通し、該末端を吊紐の先端に設けた小ループに挿通して、吊紐の先端に閉ループを形成した。これにより、閉ループが締まると、開放されていた左右クリップ片の一端を閉ざすことができる。そのため、傘の傘軸又は握柄をクリップで掴持することができる。ここで、左右クリップ片で傘軸又は握柄を挟んで、たとえば傘を手離したとき、ホルダに末端が吊着されている吊紐は下方に引っ張られる。それに伴い、閉ループも締まるので、クリップは傘の傘軸又は握柄を掴持することができる。これにより、傘を傘用保管装置から無造作に引き抜こうとした場合、引き抜こうとした傘につられて傘用保管装置も動くので、傘を無造作に引き抜く行動は非常に目立つこととなる。そのため、傘の盗難に対する抑止効果を得ることができる。
【００１４】
請求項２に記載の傘用保管装置によれば、支柱を囲む環状又は多角形状に形成したブラケットからなるホルダを、少なくとも一本のアームで支持するようにした。これにより、収納できる傘の本数を増やすと共に、設置場所の省スペース化を図ることができる。
さらに、ブラケットの一部を切断して当該切断箇所に係脱自在なジョイントを形成した場合、クリップの吊紐をホルダから容易に挿抜することができる。これにより、置き傘等によって長期間放置されている傘を掴持しているクリップを、新しい空クリップへ交換することができる。そのため、傘の収納可能な本数を常に一定に保っておくことができる。
【００１５】
請求項３に記載の傘用保管装置によれば、少なくとも二本の支柱間に長さが調節可能なロッド類又はワイヤー類からなるホルダを架設するようにした。ここで、支柱間に架設するロッド類又はワイヤー類の本数を増やすことにより、傘の収納本数を増やすことができる。また、ロッド類又はワイヤー類の端部を支柱へ係脱自在に取り付けた場合、クリップの吊紐をホルダから容易に挿抜することができる。これにより、置き傘等によって長期間放置されている傘を掴持しているクリップを、新しい空クリップへ交換することができる。そのため、傘の収納可能な本数を常に一定に保っておくことができる。
さらに、ロッド類又はワイヤー類の長さを調節可能としたことから、傘用保管装置の設置場所に合わせて、スタンドの幅を調節することができる。
【００１６】
請求項４に記載の傘用保管装置によれば、左右クリップ片の貫通孔に挿通可能な直径の棒体で形成された掛け金部と、鍵又は暗証番号その他これ等に類する識別手段を備えた錠前部とからなる鍵を設け、掛け金部を貫通孔に挿通してクリップを施錠するようにした。これにより、傘の盗難を防止することができる。
【００１７】
請求項５に記載の傘用保管装置によれば、当該傘用保管装置において、傘を個別に保持する保持手段に、傘を把持しているクリップが使用中であるか否かを報知するための報知手段を設けた。そのため、傘用保管装置の使用者は、空クリップ又は使用中のクリップを容易に判別することができる。
これにより、傘の収納本数を多くした傘用保管装置に、大量の傘が保管されている場合であっても、空クリップを容易に探し出すことができる。
また、空クリップと使用中クリップとを容易に判別することができるようになるので、置き忘れられた傘を容易に整理することができる。
さらに、クリップが傘を掴持したときに報知するようにした場合、傘をクリップが確実に掴持したことを容易に確認することができる。
さらにまた、クリップから傘を外したときに報知するようにした場合、クリップから傘が確実に外れたことを容易に確認することができる。
【００１８】
請求項６に記載の傘用保管装置によれば、電子ブザーから発せられる音によってクリップの使用状況を報知するようにした。これにより、たとえば、傘の収納本数を多くした場合であって吊紐が互いに絡み合ったとき、クリップが空いていることを示す音が鳴るようにすれば、当該空クリップを容易に探し出すことができる。また、この場合に音が鳴らないクリップは使用中であることが認識できるので、置き忘れられた傘の整理を容易にすることができる。
そして、傘をクリップに掴持させたとき、所定の音楽が鳴るようにすれば、当該傘の持ち主は、傘を傘用保管装置に預けたことを当該音楽とともに記憶するようになるので、傘の置忘れを防止することができる。
さらに、傘を盗もうとした場合に、突然所定の音楽が鳴り響くようにすれば、傘を盗もうとした者は驚いて傘を盗まなくなることが期待でき、また、音が鳴ることを表示することにより傘を盗もうとする者に対して抑止力が働くことを期待することができる。
【００１９】
請求項７に記載の傘用保管装置によれば、ランプから発せられる光によってクリップの使用状況を報知するようにした。これにより、たとえば、傘の収納本数を多くした場合であっても、複数個のクリップのうち、どのクリップが空いているか容易に視認することができる。また、この場合に光らないクリップは使用中であることが認識できるので、置き忘れられた傘の整理を容易にすることができる。なお、所定の時間が経過した後に光の点滅パターンを変化させても同様の効果が期待できる。
そして、傘をクリップに掴持させたとき、クリップ又はリングが所定のパターンで点滅したり、或いは所定の色で光ったりすれば、当該傘の持ち主は、傘を傘用保管装置に預けたことを当該点滅パターンや色彩とともに記憶するようになるので、傘の置忘れを防止することができる。
さらに、傘を盗もうとした場合に、クリップ又はリングが所定のパターンで点滅したり、所定の色で光ったりすれば、傘を盗もうとした者は驚いて傘を盗まなくなることが期待でき、また、盗難防止のためクリップ又はリングが光ることを表示することにより傘を盗もうとする者に対して抑止力が働くことを期待することができる。
【００２０】
請求項８に記載の傘用保管装置によれば、振動によって報知するようにした。これにより、たとえば、傘の収納本数を多くした場合であっても、複数個のクリップのうち、どのクリップが空いているか振動しているクリップにつながる吊紐をたどることにより容易に当該空クリップを見つけ出すことができる。また、経過した時間にしたがって振動パターンを変化させることにより、長期間保管されている傘を分別することができるので、置き忘れられた傘を容易に整理することができる。
そして、傘をクリップに掴持させたとき、クリップ又はリングが所定のパターンで振動すれば、当該傘の持ち主は、傘を傘用保管装置に預けたことを所定の振動とともに記憶するようになるので、傘の置忘れを防止することができる。
さらに、傘を盗もうとした場合に、クリップ又はリングが所定のパターンで振動すれば、傘を盗もうとした者は驚いて傘を盗まなくなることが期待できる。
【図面の簡単な説明】
【００２１】
【図１】第１実施例に係る傘用保管装置を示す斜視図である。
【図２】第１実施例に係る傘用保管装置に係るクリップを示す拡大図である。
【図３】第２実施例に係る傘用保管装置に係るクリップを示す拡大図である。
【図４】第３実施例に係る傘用保管装置を示す斜視図である。
【図５】第３実施例に係る傘用保管装置に係るクリップを示す拡大図である。
【図６】第４実施例に係る傘用保管装置を示す斜視図である。
【図７】第５実施例に係る傘用保管装置を示す斜視図である。
【図８】第６実施例に係る傘用保管装置を示す斜視図である。
【実施例１】
【００２２】
本願発明に係る傘用保管装置の実施例を添付した図面にしたがって説明する。
本実施例に係る傘用保管装置を示す斜視図を図１に示し、該傘用保管装置の傘を掴持するクリップについて拡大した拡大図を図２に示す。
【００２３】
傘用保管装置１０は、スタンド１１と、ホルダ１２とからなる。
スタンド１１は、基台１３から立設された一本の支柱１４を有する。該支柱１４には、少なくとも一つ、好ましくは二以上のホルダ１２を取り付けるためのアーム１５が形成されている。該アーム１５は支柱１４を軸として回動可能に形成されている。
【００２４】
ホルダ１２は、支柱１４を囲むように形成された環状の金属製のブラケット１６からなり、クリップ２０を有する。
ブラケット１６はアーム１５で支持されている。アーム１５が回動自在に形成されていることにより、ホルダ１２は支柱１４に対して回動自在に形成されている。これにより、傘用保管装置１０の設置場所において奥に配されている傘１を手前に移動させて取り出すことができる。ブラケット１６はアーム１５間で切断され、該切断箇所に係脱自在なジョイント１７が形成されている。該ジョイント１７を外すことによって、ホルダ１２へ少なくとも一つ、好ましくは複数個のクリップ２０を取り付けることができる。
本実施例において、ブラケット１６は環状に形成したが、形状はこれに限定されものではなく、たとえば六角形状や八角形状といった多角形状のブラケットにしても良い。また、該ブラケット１６は金属製としたが、これに限定されるものではなく、たとえば合成樹脂製或いは木製としても良い。
【００２５】
クリップ２０は、図２に示すように、略半弧状に形成された一対の左クリップ片２１ａと右クリップ片２１ｂとからなる。左右クリップ片２１ａ，２１ｂは、一端が拡開可能に形成されている。該一端には、貫通孔２４ａ，２４ｂが形成された舌片２３ａ，２３ｂが形成されている。一方左右クリップ片２１ａ，２１ｂの他端は、ピン２２で回動可能に互いを連結している。
【００２６】
吊紐３０は、たとえば、ワイヤー又はチェーン、その他これ等に類する紐体からな、破断不能であれば合成繊維等を用いた編紐或いは組紐等を用いても良い。吊紐３０の先端には小ループ３１が形成されている。小ループ３１は、吊紐の先端を撓めて形成したものだが、これに限定されることなく、少なくとも吊紐３０を挿通可能な直径を有するＯリング、ナスカン等を取り付けても良い。
貫通孔２４ａ，２４ｂに挿通した吊紐３０の末端を、小ループ３１に挿通することにより、吊紐３０の先端には閉ループ３２が形成される。閉ループ３２が締まると、該閉ループ３２は舌片２３ａ，２３ｂを内側に向かって付勢し、左右クリップ片２１ａ，２１ｂの一端を互いに近接させるので、該一端を閉ループ３２で閉ざすことができる。
吊紐３０の末端には、少なくともブラケット１６が挿通可能な直径を有する金属製のリング３３が取り付けられている。該リング３３は、ホルダ１２のブラケット１６が挿通されている。これにより、吊紐３０を介してクリップ２０をホルダ１２に取り付けて、クリップ２０を吊着することができる。本実施例において、リング３３を金属製としたが、これに限定されるものではなく、たとえば合成樹脂製或いは木製としても良い。また、吊紐３０の末端を撓めて固定し、ループを形成するようにしても良い。
【００２７】
上記の構成を有する傘用保管装置１０の使用方法を、添付した図面にしたがって説明する。
左右クリップ片２１ａ，２１ｂで傘１の傘軸又は握柄を挟み、傘１を手離すか又は傘１ごと吊紐３０を引っ張ると、閉ループ３２を締めることができる。閉ループ３２は、クリップ２０の一端に設けた舌片２３ａ，２３ｂを互いに近接させ、一端は閉ざされる。これにより、クリップ２０は、傘１の傘軸又は握柄を掴持し、傘用保管装置１０に傘１をぶら下げることができる。
傘軸をクリップ２０で掴持した場合、傘軸の径は握柄の径よりも細いので、傘軸に沿って摺動したクリップ２０は傘軸と握柄の接合部分で掛止する。また、握柄をクリップ２０で掴持した場合、握柄の末端がＪ字状に湾曲している傘であれば、当該湾曲部でクリップ２０は掛止する。そのため、クリップ２０から傘１が抜け落ちることを防止することができる。
また、無造作に傘１を持ち上げてクリップ２０から抜き取ろうとする場合、クリップ２０は傘軸に沿って摺動するので、傘１の無造作な抜き取りを防止することができる。これにより、たとえば通りすがりに傘用保管装置１０から傘１を抜き取ろうとする場合、傘１を持ち上げると、クリップ２０と吊紐３０を介して傘用保管装置１０が動くことから、周囲の注目を浴びることとなる。そのため、結果として傘１の盗難を防止することができる。
【実施例２】
【００２８】
また、クリップ２０の他の実施形態として、クリップ２０Ａを図３に示す。
クリップ２０Ａは、一対の平板状の左クリップ片２５ａと右クリップ片２５ｂとからなる。
左右クリップ片２５ａ，２５ｂは、その略中心がピン２６で連結されて回動自在に形成されている。左右クリップ片２５ａ，２５ｂの一端には、それぞれ貫通孔２７ａ，２７ｂが形成されている。左右クリップ片２５ａ，２５ｂの他端には、それぞれ略半円状のホルダ部２８ａ，２８ｂが形成されている。そして、左右クリップ片２５ａ，２５ｂのピン２６とホルダ部２８ａ，２８ｂとの間は、それぞれ同一方向に折り曲げられている。本実施例では、断面が略Ｌ字状となるように折り曲げているが、使用態様等にあわせて、折り曲げ角度を変更しても良い。
その他、吊紐、スタンドの構成は第１実施例と同様であるので、説明を省略する。
【００２９】
上記のように構成されたクリップ２０Ａを有する傘用保管装置１０は、以下のように使用される。
クリップ２０Ａのホルダ部２８ａ，２８ｂで傘１の傘軸又は握柄を挟み、傘１を手離すか又は傘１ごと吊紐３０を引っ張ると、閉ループ３２を締めることができる。閉ループ３２は、クリップ２０Ａの一端を互いに近接させ、他端側は閉ざされる。これにより、クリップ２０Ａは、傘１の傘軸又は握柄を掴持し、傘用保管装置１０に傘１をぶら下げることができる。
【００３０】
第２実施例に係る傘保管装置１０のクリップ２０Ａによれば、左右クリップ片２５ａ，２５ｂを折り曲げたことにより、左右クリップ片２５ａ，２５ｂの一端側は傘１の傘軸又は握柄に沿って配される。これにより、吊紐３０がクリップ２０Ａを引っ張る方向と左右クリップ片２５ａ，２５ｂの向きを同じにすることができるので、傘１を傘用保管装置１０にぶら下げたときに、吊紐３０に加わる張力をクリップ２０Ａが傘１の傘軸又は握柄を掴持する力へ効率よく変換することができる。そのため、より確実にクリップ２０Ａで傘１を掴持することができる。
また、折り曲げた左右クリップ片２５，２５ｂのホルダ部２８ａ，２８ｂは、左右クリップ片２５，２５ｂの他端側が解放しているので、傘１の出し入れを容易に行うことができる。ここで、一旦締まった閉ループ３２は、吊紐３０を緩めたぐらいでは容易に緩まない。また、クリップ２０Ａもホルダ部２８ａ，２８ｂの近傍を持って開かないと容易に開かない。そのため、傘１の無造作な抜き取りを防止することができる。
【実施例３】
【００３１】
次に、第３実施例に係る傘用保管装置を添付した図面にしたがって説明する。
本実施例に係る傘用保管装置を示す斜視図を図４に示し、該傘用保管装置の傘を掴持するクリップについて拡大した拡大図を図５に示す。
【００３２】
傘用保管装置１０Ａは、スタンド４０と、ホルダ４１とからなる。
スタンド４０は、対向する一対の支柱４２を有する。該支柱４２間には、ホルダ４１が架設されている。
支柱４２は、上端を枢着して下端を拡開可能に形成した２本のフレーム４２ａ，４２ａと、該フレーム４２ａ，４２ａの下端近傍に架設したステー４２ｂとからなる。該ステー４２ｂによって、フレーム４２ａ，４２ａが自重によって拡がることを制限することができる。ステー４２ｂの一端は、フレーム４２ａ，４２ａのいずれか一方に係脱自在に接続されている。そのため、ステー４２ｂの一端を外すことにより、支柱４２を折り畳むことができる。
また、ステー４２ｂの長さを調節可能にするか、又はステー４２ｂとフレーム３２ａとが係合する位置を調節可能にすることにより、フレーム４２ａ，４２ａの下端の開放幅を調節することができる。これにより、傘用保管装置１０Ａの奥行を設置場所に合わせて調整することができる。
【００３３】
ホルダ４１は、少なくとも一本、好ましくは複数本の金属製のロッド４５からなり、ロッド４５は、たとえば、アウターロッドにインナーロッドを挿嵌したり、振出竿のように構成して、長さが調節可能に形成されている。該ロッド４５は支柱４２間に架設されている。これによって、門型状に形成された傘用保管装置１０Ａは自立することができる。
なお、ロッド４５に替えてワイヤー類を使用しても良い。当該ワイヤー類は、金属繊維、合成繊維又は天然繊維を撚ったワイヤー、ロープ、さらには、これ等の繊維からなる編紐、組紐等を適宜選択することができる。このとき、少なくとも、支柱４２の上端に架設されるホルダ４１をロッド４５としておけば、スタンド４０を自立させることができる。
ロッド４５及びワイヤー類は容易に長さの調整をすることができることから、傘用保管装置１０Ａの幅を設置場所に合わせて調整することができる。
また、たとえば、フレーム４２ａ，４２ａの下端に基台を設けて、支柱４２が単独で自立するように形成しても良い。この場合には、支柱４２間に架設するホルダ４１をすべてワイヤー類にすることができる。
ホルダ４１の端部の少なくともいずれか一方は、支柱４２へ係脱自在に固定されている。これにより、ホルダ４１へ少なくとも一つ、好ましくは複数個のクリップ２０Ｂを自在に吊着することができる。
【００３４】
吊紐３０の構成は、第１実施例或いは第２実施例と同様であるので説明を省略する。第３実施例に係るクリップ２０Ｂは、第１実施例に係るクリップ２０と南京錠５０の有無が相違する点である。
南京錠５０は、少なくともクリップ２０Ｂの貫通孔２４ａ，２４ｂに挿通可能な直径を有する略Ｕ字状の棒体からなる掛け金部５１と、鍵又は暗証番号、その他これ等に類する施錠手段を備えた南京錠本体とからなる。
南京錠５０の掛け金部５１は、クリップ２０Ｂの貫通孔２４ａ，２４ｂに挿通されている。これにより、クリップ２０Ｂの一端を施錠することができるので、傘１の盗難を防止することができる。
第３実施例に係る傘用保管装置の使用方法は、第１実施例と同様であるので説明を省略する。
なお、スタンド１１，４０とクリップ２０，２０Ａ，２０Ｂの組み合わせは、第１実施例乃至第３実施例のいずれかに記載の実施態様に限定されず、自由に組み合わせることができる。
【００３５】
第１実施例乃至第３実施例に係る傘用保管装置１０，１０Ａによれば、クリップ２０，２０Ａ，２０Ｂを吊着するブラケット１６にジョイント１７を設け、或いはロッド４５又はワイヤー類を支柱４２へ係脱自在に取り付けた。そして、クリップ２０，２０Ａ，２０Ｂを閉ループ３２で一体化した吊紐３０に取り付けたリング３３で、クリップ２０，２０Ａ，２０Ｂをホルダ１２，３１から挿抜自在に取り付けるようにした。
これによって、使用場所或いは使用目的に合わせてクリップ２０，２０Ａ，２０Ｂの個数を増減することができる。そのため、長期間に亘って放置されている置き傘や忘れ物の傘を掴持しているクリップ２０，２０Ａ，２０Ｂのリング３３をジョイント１７或いはロッド４５又はワイヤー類の端部から抜いて、新たに空のクリップ２０，２０Ａ，２０Ｂへ入れ替えることができる。これにより、置き傘等の整理を容易に行うことができる。さらに、置き傘等を掴持している取り外したクリップ２０，２０Ａ，２０Ｂのリング３３を用いて、その置き傘を容易にまとめることができる。
【実施例４】
【００３６】
次に、第４実施例に係る傘用保管装置を添付した図面にしたがって説明する。
本実施例に係る傘用保管装置の傘を掴持するクリップについて拡大した拡大図を図６に示す。
【００３７】
本実施例に係る傘用保管装置１０Ｂのスタンドについては、他の実施例で説明したいずれかのスタンド１１，４０を用いることができるので、説明を省略する。
ホルダ１２は、傘を保持する保持手段を有し、当該保持手段は傘の持ち主に保持手段で傘を保持しているか否かを報知する報知手段を有している。
保持手段は、クリップ２０と、吊紐３０と、リング３３Ａとからなり、クリップ２０及び吊紐３０は、第１実施例と同様に構成されている。そのため、説明を省略する。
報知手段は、リング３３Ａと一体化するように形成された電子ブザー６０を有している。
なお、本実施例において、電子ブザー６０をリングと一体化するように形成したがこれに限定されるものではなく、当該電子ブザー６０は、たとえば、吊紐３０の途中に設けたり、クリップ２０と一体成型したりしても良い。
【００３８】
電子ブザー６０は、スピーカ６１とスイッチ６２を有している。
スピーカ６１は、電子ブザー６０に内蔵されたメモリ（図示略）に記録された所定の音声又は所定のフレーズを再生したとき、当該音声又はフレーズを拡声するように構成されている。ここで、所定の音声とは、雨に関する童謡や唱歌或いは歌謡曲等の音楽をいい、所定のフレーズとは、クリップ２０が傘を掴持したことを確認的に述べたり、傘がクリップから外されたことを注意するものをいう。
スイッチ６２は、吊紐３０に繋がれている。そして、当該吊紐３０に負荷がかかったとき、電子ブザー６０の電源が入るように形成されている。すなわち、クリップ２０に傘を把持させたとき、当該傘の重さ或いは吊紐３０を引っ張ったことによって当該吊紐３０に負荷がかかり、スピーカ６１から所定の音声又は所定のフレーズが発せられる。
これにより、クリップ２０が確実に傘を掴持しているか否か容易に判別することができる。
また、傘用保管装置１０Ｂを玄関前やロビー等の建物の入口近辺に配置している場合、傘を掴持させたときに来客を知らせる呼び鈴の替わりとして利用することができる。
【００３９】
一方、吊紐３０にかかっている負荷がなくなったとき、電子ブザー６０の電源が入るように構成しても良い。この場合には、クリップ２０から確実に傘が取り外されたか否か容易に判別することができる。
また、電子ブザー６０にスイッチ６２を解除するためのボタンを設け、当該ボタンを押しながら傘をクリップ２０から外すといった所定の操作をしなかった場合に吊紐３０にかかっている負荷がなくなったとき、警報音が鳴るようにしても良い。この場合には、傘の盗難を防止することができる。
なお、本実施例で示した電子ブザー６０に限定されることなく、たとえば、鈴や鳴子を用いてもよい。この場合には、傘をクリップで掴持する度に鈴の音等の音色が響くので、当該音色によって傘を預けた者の気分をリフレッシュさせることができる。
【００４０】
第４実施例に係る傘用保管装置１０Ｂによれば、傘をクリップ２０で掴持したとき、所定の音声又は所定のフレーズが再生されるようにした。これにより、当該傘用保管装置１０Ｂに大量のクリップ２０を設けて傘の収納本数を増やした場合であっても、傘を掴持していない空クリップ２０を容易に探し出すことができる。そして、傘をクリップ２０が確実に掴持しているか否かについては音声又はフレーズの再生をもって容易に認識することができる。
また、傘がクリップ２０から外されたとき、所定の音声又は所定のフレーズが再生されるようにした場合、傘がクリップ２０から確実に外されたか否かについて容易に認識することができる。
そして、傘を盗もうとしている者が傘をクリップ２０から外そうとしたとき、不意に警報が鳴り響くことによって、傘の盗難を防止することができる。
【実施例５】
【００４１】
次に、第５実施例に係る傘用保管装置を添付した図面にしたがって説明する。
本実施例に係る傘用保管装置の傘を掴持するクリップについて拡大した拡大図を図７に示す。
【００４２】
本実施例に係る傘用保管装置１０Ｃのスタンドについては、他の実施例で説明したいずれかのスタンド１１，４０を用いることができるので、説明を省略する。
ホルダ１２は、傘を保持する保持手段を有し、当該保持手段は傘の持ち主に保持手段で傘を保持しているか否かを報知する報知手段を有している。
保持手段は、クリップ２０と、吊紐３０と、リング３３Ｂとからなり、クリップ２０及び吊紐３０は第１実施例と同様に構成されている。そのため、説明を省略する。
報知手段は、リング３３Ｂと一体化するように形成されたランプ６５を有している。
なお、本実施例において、ランプ６５をリング３３Ｂと一体化するように形成したがこれに限定されるものではなく、当該ランプ６５は、たとえば、吊紐３０の途中に設けたり、クリップ２０と一体成型したりしても良い。
また、ランプ６５に替えて、ストロボ、フラッシュライト等の点滅可能なライトにしても良い。
【００４３】
ランプ６５は、発光部６６とスイッチ６７を有している。
発光部６６は、ＬＥＤ、電球等の発光体（図示略）を有し、ランプ６５に内蔵されたメモリ（図示略）に記録されている所定の点滅パターン、或いは所定の発光色にしたがって発光するように形成されている。
スイッチ６７は、吊紐３０に繋がれている。そして、当該吊紐３０に負荷がかかったとき、ランプ６５の電源が入るように形成されている。すなわち、クリップ２０が傘を掴持したとき、当該傘の重さ或いは吊紐３０を引っ張ったことによって当該吊紐３０に負荷がかかり、ランプ６５が発光する。
これにより、クリップ２０が確実に傘を掴持しているか否か容易に判別することができる。
【００４４】
一方、吊紐３０にかかっている負荷がなくなったとき、ランプ６５の電源が入るように構成しても良い。この場合には、クリップ２０から確実に傘が取り外されたか否か容易に判別することができる。
また、ランプ６５にスイッチ６７を解除するためのボタンを設け、当該ボタンを押しながら傘をクリップ２０から外すといった所定の操作をしなかった場合に吊紐３０にかかっている負荷が抜けると発光部６６が点滅するようにしても良い。この場合には、傘の盗難を防止することができる。
【００４５】
第５実施例に係る傘用保管装置１０Ｃによれば、傘をクリップ２０で掴持したとき、所定の点滅パターン又は所定の発光色でランプ６５が光るようにした。ここで、たとえば、空クリップ２０の場合に光るように設定した場合、当該傘用保管装置１０Ｃに大量のクリップ２０を設けて傘の収納本数を増やした場合であっても、傘を掴持していない空クリップ２０を容易に探し出すことができる。そして、傘をクリップ２０が確実に掴持しているか否かについてはランプ６５の点滅パターンが変化するようにすれば容易に認識することができる。
また、傘がクリップ２０から外されたとき、所定の点滅パターン又は所定の発光色でランプ６５が光るようにした場合、傘がクリップ２０から確実に外されたか否かについて容易に認識することができる。
そして、傘をクリップ２０が掴持してからの経過時間によって、ランプ６５の発光パターンを変化させるようにした場合、たとえば、１時間前に預けられた傘と３日前に預けられた傘との見分けが容易につくので、置き忘れ傘の整理を容易にすることができる。
【実施例６】
【００４６】
次に、第６実施例に係る傘用保管装置を添付した図面にしたがって説明する。
本実施例に係る傘用保管装置の傘を掴持するクリップについて拡大した拡大図を図８に示す。
【００４７】
本実施例に係る傘用保管装置１０Ｄのスタンドについては、他の実施例で説明したいずれかのスタンド１１，４０を用いることができるので、説明を省略する。
ホルダ１２は、傘を保持する保持手段を有し、当該保持手段は傘の持ち主に保持手段で傘を保持しているか否かを報知する報知手段を有している。
保持手段は、クリップ２０Ｃと、吊紐３０と、リング３３とからなり、吊紐３０及びリング３３は第１実施例と同様に構成されている。そのため、説明を省略する。
報知手段は、クリップ２０Ｃと一体化するように形成されたシェル２９を有している。
なお、本実施例において、シェル２９をクリップ２０Ｃと一体化するように形成したがこれに限定されるものではなく、当該シェル２９は、たとえば、吊紐３０の途中に設けたり、リング３３と一体成型したりするようにしても良い。
【００４８】
シェル２９は、クリップ２０Ｃの貫通孔２４ｂと連通する貫通孔２９ａが形成され、所定の振動パターンで振動するバイブレータ機能を有している。貫通孔２９ａには吊紐３０が挿通され、閉ループ３２が形成されている。なお、閉ループ３２については第１実施例と同様であるので説明を省略する。
また、シェル２９には吊紐３０の摺動を検知するセンサ（図示略）が内蔵されている。当該センサは、バイブレータ機能を起動するためのスイッチ（図示略）と連動するように形成されている。これによって、吊紐３０の摺動をセンサが検知するとバイブレータ機能は起動される。
バイブレータ機能が起動するタイミングは、まずセンサが吊紐３０の摺動を検知し、当該吊紐３０の摺動が停止したことを当該センサが検知した時に起動することが好ましい。これにより、傘をクリップ２０Ｃで掴持し終わったとき、当該クリップ２０Ｃが振動して傘を掴持させたことを判別することができる。また、傘をクリップ２０Ｃから外したとき、当該クリップ２０Ｃが振動して傘を外したことも判別することができる。
なお、傘をクリップ２０Ｃが掴持してから所定期間経過後にバイブレータ機能が起動するように形成しても良い。これによって、たとえば、１時間前に預けられた傘と３日前に預けられた傘との見分けが容易につくので、置き忘れ傘の整理を容易にすることができる。
【００４９】
第６実施例に記載の傘用保管装置１０Ｄによれば、クリップ２０Ｃの使用状況を振動で報知するようにした。これにより、たとえば、夜中明かりが無い場所といったように手元が見え難い状況であっても、傘をクリップ２０Ｃで確実に保持することができ、また確実に外すことができる。
【００５０】
第４実施例乃至第６実施例に記載の傘用保管装置１０Ｂ，１０Ｃ，１０Ｄによれば、クリップ２０，２０Ｃが傘を掴持しているか否かを報知する報知手段を保持手段に設けた。
これにより、スタンド１０，４０に複数個の吊紐３０を介してクリップ２０，２０Ｃを取り付けて傘の収納本数を多くしたとき、当該複数個のクリップ２０，２０Ｃのうち、どのホルダのクリップ２０，２０Ｃが開いているか否か容易に判別することができる。また、経過時間とともに報知する音・光・振動のパターン等を変化させることによって、長期間保管されている傘を容易に判別することができる。そのため、置き忘れられた傘を容易に整理することができる。そして、たとえば盗難防止用ボタンを解除してからクリップ２０，２０Ｃを開くといったような所定の操作をせずに吊紐に負荷がかかったとき、傘用保管装置１０Ｂ、１０Ｃ，１０Ｄから警報音が鳴り響き、又は傘用保管装置１０Ｂ、１０Ｃ，１０Ｄがストロボ状に光るようにすれば、傘の盗難を防止することができ、さらには、当該所定の操作をせずに傘を外した場合に警報音等が鳴り響くことを警告的に表示しておけば、傘の盗難に対する抑止力が期待できる。
また、報知手段を設けたことにより、健常者のみならず、高齢者や体の不自由な者が傘をクリップ２０，２０Ｃで確実に掴持することができ、傘をクリップ２０，２０Ｃから確実に外すことができるようになるので、傘用保管装置１０Ｂ，１０Ｃ，１０Ｄの使いやすさを向上させることができる。
なお、第４実施例乃至第６実施例に記載の傘用保管装置１０Ｂ，１０Ｃ，１０Ｄによれば、第１実施例に記載のクリップ２０に基づいて説明したが、これに限定されるものではなく、他の実施例に記載したクリップ２０Ａ、及び鍵付きのクリップ２０Ｂを用いてもよい。
【符号の説明】
【００５１】
１０，１０Ａ，１０Ｂ，１０Ｃ，１０Ｄ…傘用保管装置、１１，４０…スタンド、１２，４１…ホルダ、
１３…基台、１４，４２…支柱、１５…アーム、
１６…ブラケット、１７…ジョイント、
２０，２０Ａ，２０Ｂ，２０Ｃ…クリップ、
２１ａ，２５ａ…左クリップ片、２１ｂ，２５ｂ…右クリップ片、
２２，２６…ピン、２３ａ，２３ｂ…舌片、２４ａ，２４ｂ，２７ａ，２７ｂ…貫通孔、２８ａ，２８ｂ…ホルダ部、２９…シェル、２９ａ…シェルの貫通孔、
３０…吊紐、３１…小ループ、３２…閉ループ、３３，３３Ａ，３３Ｂ…リング、
４２ａ…フレーム、４２ｂ…ステー、４５…ロッド、
５０…南京錠、５１…掛け金部、
６０…電子ブザー、６１…スピーカ、６２，６７…スイッチ、
６５…ランプ、６６…発光部。
【図１】
2013031647.tif 000003
【図２】
2013031647.tif 000004
【図３】
2013031647.tif 000005
【図４】
2013031647.tif 000006
【図５】
2013031647.tif 000007
【図６】
2013031647.tif 000008
【図７】
2013031647.tif 000009
【図８】
2013031647.tif 000010